(57)【要約】【課題】装着性の良好な画像観察用眼鏡を提供する。【解決手段】画像観察用眼鏡１は、画像を観察する画像観察部２１と、画像観察部２１を保持する枠部２２と、枠部２２に一端が回転可能に軸支される一対のテンプル３と、テンプル３に配置され、枠部２２側に突出する突起部４１Ｒ，４１Ｌを有するスライド部４Ｒ，４Ｌと、枠部２２に形成され、突起部４１Ｒ，４１Ｌに当接してテンプル３間の距離を広げる方向への回転を規制する当接面２２１Ｒ，２２１Ｌと、を備え、スライド部４Ｒ，４Ｌは、テンプル３の回転方向に沿う仮想平面と交差する第１方向にスライド可能に構成され、当接面２２１Ｒ，２２１Ｌは、第１方向に対して傾斜している。【選択図】図１
2012252184.tif 000002
【特許請求の範囲】
【請求項１】
画像を観察する画像観察部と、
前記画像観察部を保持する枠部と、
前記枠部に一端が回転可能に軸支される一対のテンプルと、
前記枠部または前記テンプルのいずれか一方に配置され、当該他方の側に突出する突起部を有するスライド部と、
前記他方に形成され、前記突起部に当接して前記テンプル間の距離を広げる方向への回転を規制する当接面と、
を備え、
前記スライド部は、前記テンプルの回転方向に沿う仮想平面と交差する第１方向にスライド可能に構成され、
前記当接面は、前記第１方向に対して傾斜していることを特徴とする画像観察用眼鏡。
【請求項２】
請求項１に記載の画像観察用眼鏡であって、
前記スライド部は、前記テンプルに配置され、前記当接面は、前記枠部に形成されていることを特徴とする画像観察用眼鏡。
【請求項３】
請求項１または請求項２に記載の画像観察用眼鏡であって、
前記当接面は、前記スライド部が配置される部材に対し、当該画像観察用眼鏡の装着者の頭上側となる側がその反対側より遠ざかるように傾斜していることを特徴とする画像観察用眼鏡。
【請求項４】
請求項１〜請求項３のいずれか一項に記載の画像観察用眼鏡であって、
前記スライド部は、スライド可能な領域において、前記スライド部が配置される部材に係合可能な係合部を有していることを特徴とする画像観察用眼鏡。
【請求項５】
請求項１〜請求項４のいずれか一項に記載の画像観察用眼鏡であって、
前記スライド部は、スライド自在に操作される操作部を有し、
前記操作部は、前記一対のテンプルが対向する側となる当該画像観察用眼鏡の内面側から露出していることを特徴とする画像観察用眼鏡。
【発明の詳細な説明】
【技術分野】
【０００１】
本発明は、スクリーンやディスプレイに表示される画像を観察するための画像観察用眼鏡に関する。
【背景技術】
【０００２】
近年、スクリーンやディスプレイに表示される画像を、専用の眼鏡を用いることで観察者に３次元画像として認識させたり、ディスプレイに表示される２つの画像のうち一方の画像を選択して観察させたりする技術が提案されている（例えば、特許文献１参照）。
【０００３】
特許文献１に記載の眼鏡（眼鏡装置）は、フレーム部および一対の柄を備えている。フレーム部には、眼鏡を装着する装着者の左右の眼の前方に位置する液晶シャッターや偏光フィルターが設けられている。一対の柄は、フレームの両端にそれぞれ連結されている。そして、この眼鏡は、一対の柄が使用者の頭部を挟持するように装着される。
【先行技術文献】
【特許文献】
【０００４】
【特許文献１】特開平１０−２４３４２０号公報
【発明の概要】
【発明が解決しようとする課題】
【０００５】
しかしながら、特許文献１に記載の眼鏡は、使用者の様々な頭部寸法に対応するように構成されていないため、眼鏡の装着者によっては、一対の柄によって頭部が圧迫されて不快に感じたり、緩くて眼鏡の位置がずれて画像を適切に観察できなかったりする恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像観察用眼鏡は、画像を観察する画像観察部と、前記画像観察部を保持する枠部と、前記枠部に一端が回転可能に軸支される一対のテンプルと、前記枠部または前記テンプルのいずれか一方に配置され、当該他方の側に突出する突起部を有するスライド部と、前記他方に形成され、前記突起部に当接して前記テンプル間の距離を広げる方向への回転を規制する当接面と、を備え、前記スライド部は、前記テンプルの回転方向に沿う仮想平面と交差する第１方向にスライド可能に構成され、前記当接面は、前記第１方向に対して傾斜していることを特徴とする。
【０００８】
この構成によれば、画像観察用眼鏡は、一対のテンプルが枠部に軸支され、突起部と当接面とが当接することによって一対のテンプルの回転が規制されることとなる。そして、スライド部は、テンプルの回転方向に沿う仮想平面と交差する第１方向にスライド可能に構成され、当接面は、第１方向に対して傾斜している。これによって、スライド部をスライドさせることで、突起部を傾斜面の異なる位置に当接させ、テンプルの回転角を変えること、つまり、一対のテンプル間の距離を調整することができる。よって、画像観察用眼鏡を装着する装着者は、頭部のサイズに合うようにスライド部をスライドさせて一対のテンプル間の距離を調整し、この画像観察用眼鏡を装着することができる。したがって、テンプルの締め付けによる頭部の痛みや、画像観察用眼鏡の位置ずれが抑制され、装着性の良好な画像観察用眼鏡が可能となる。
【０００９】
［適用例２］上記適用例に係る画像観察用眼鏡において、前記スライド部は、前記テンプルに配置され、前記当接面は、前記枠部に形成されていることが好ましい。
【００１０】
この構成によれば、スライド部はテンプルに配置され、当接面は枠部に形成されている。これによって、画像観察部を保持する枠部の構造の簡素化や、枠部の小型化によるデザイン性の向上、および枠部とテンプルとの重量バランスを良好にし、さらに装着性の良好な画像観察用眼鏡が可能となる。
【００１１】
［適用例３］上記適用例に係る画像観察用眼鏡において、前記当接面は、前記スライド部が配置される部材に対し、当該画像観察用眼鏡の装着者の頭上側となる側がその反対側より遠ざかるように傾斜していることが好ましい。
【００１２】
この構成によれば、突起部を当接面の頭上側に当接させた状態は、頭上側の反対側に当接させた状態よりテンプルの回転角が大きく形成される。つまり、スライド部を画像観察用眼鏡の装着者の頭上側にスライドさせる程、一対のテンプル間の距離を大きくすることが可能となる。よって、装着者は、テンプルがきつい場合には、スライド部を頭上側にスライドさせ、緩い場合には、スライド部を頭上側とは反対側にスライドさせて一対のテンプル間の距離を調整できる。したがって、装着者に一対のテンプルの広げる方向と狭くする方向とを感覚的に把握させることが可能となり、使い勝手の良好な画像観察用眼鏡の提供が可能となる。
【００１３】
［適用例４］上記適用例に係る画像観察用眼鏡において、前記スライド部は、スライド可能な領域において、前記スライド部が配置される部材に係合可能な係合部を有していることが好ましい。
【００１４】
この構成によれば、スライド部は、係合部を有しているので、使用者は、スライド可能な領域内において、目安となる位置にスライド部を容易に移動させることが可能となる。例えば、スライド可能な領域において、一対のテンプル間の距離が最大、最小や、中間等の状態となる位置に対応するように係合部を設けることで、使用者は、それらの状態にテンプルを容易に調整することが可能となる。よって、一対のテンプル間の距離を所望の位置に調整したり、一対のテンプルをバランスよく調整したりすることが容易に可能となる。
【００１５】
［適用例５］上記適用例に係る画像観察用眼鏡において、前記スライド部は、スライド自在に操作される操作部を有し、前記操作部は、前記一対のテンプルが対向する側となる当該画像観察用眼鏡の内面側から露出していることが好ましい。
【００１６】
この構成によれば、内面から露出する操作部を操作することでスライド部をスライドさせることができるので、外面側にスライド部を構成するための形状を盛り込む必要が無く、画像観察用眼鏡の外観デザインの向上が図れる。
【図面の簡単な説明】
【００１７】
【図１】本実施形態の画像観察用眼鏡を模式的に示す外観図。
【図２】本実施形態のスライド部近傍の画像観察用眼鏡を模式的に示す部分断面図。
【図３】本実施形態のスライド部近傍の画像観察用眼鏡を模式的に示す部分断面図。
【図４】本実施形態のスライド部近傍の画像観察用眼鏡を模式的に示す部分断面図。
【図５】変形例のスライド部近傍の画像観察用眼鏡を模式的に示す部分断面図。
【発明を実施するための形態】
【００１８】
以下、本実施形態に係る画像観察用眼鏡について、図面を参照して説明する。
図１は、本実施形態の画像観察用眼鏡１を模式的に示す外観図である。なお、以下では、説明の便宜上、画像観察用眼鏡１を装着した装着者から見て、前方を＋Ｙ方向（前方向）、右方向を＋Ｘ方向（右方向）、頭上側を＋Ｚ方向（上方向）として記載する。
【００１９】
画像観察用眼鏡１は、図１に示すように、本体部２、一対のテンプル３、およびスライド部４を備え、スライド部４が操作されることによって、一対のテンプル３間の距離を調整できるように構成されている。
【００２０】
本体部２は、画像観察部２１、および枠部２２を備えている。
画像観察部２１は、装着者にとって右眼の前方に位置する画像観察部２１Ｒ、左眼の前方に位置する画像観察部２１Ｌを備えている。画像観察部２１Ｒ，２１Ｌは、光学部材（例えば、液晶シャッターや偏光フィルター等）や、メカ的なシャッター機構等を有して構成されている。装着者は、プロジェクターから投写された画像やディスプレイに表示された画像等を、この画像観察部２１Ｒ，２１Ｌを通して観察することで、立体画像や複数の画像のうち選択した画像の１つを認識することができる。
【００２１】
枠部２２は、画像観察部２１Ｒ，２１Ｌを保持するように構成されている。枠部２２は、右側（＋Ｘ側）の端部２２Ｒおよび左側（−Ｘ側）の端部２２Ｌがそれぞれ後方（−Ｙ方向）に突出している。端部２２Ｒ，２２Ｌは、左右対称に形成され、−Ｙ側の端面には、スライド部４の後述する突起部４１Ｒ，４１Ｌが当接する当接面２２１Ｒ，２２１Ｌが形成されている。後で詳細に説明するが、スライド部４は、上下方向（±Ｚ方向）に略沿う第１方向にスライド可能に構成され、当接面２２１Ｒ，２２１Ｌは、第１方向に対して傾斜している。
【００２２】
テンプル３は、本体部２の両端に一対設けられ、それぞれの一端が支持ピンＰ（図２参照）を介して枠部２２の端部２２Ｒ，２２Ｌに回転可能に軸支されている。具体的に、テンプル３は、テンプル３Ｒ，３Ｌを有し、左右対称に形成されている。テンプル３Ｒ，３Ｌは、それぞれの一端を形成する端部３１Ｒ，３１Ｌが枠部２２の端部２２Ｒ，２２Ｌに軸支される。そして、画像観察用眼鏡１が装着者に装着されると、テンプル３Ｒは、装着者の頭部の右側に位置し、テンプル３Ｌは、装着者の頭部の左側に位置することとなる。
【００２３】
スライド部４は、テンプル３Ｒ，３Ｌの端部３１Ｒ，３１Ｌにそれぞれ配置されるスライド部４Ｒ，４Ｌを有し、左右対称に形成されている。スライド部４Ｒ，４Ｌは、端部２２Ｒ，２２Ｌ側に突出する突起部４１Ｒ，４１Ｌ、およびテンプル３Ｒ，３Ｌの互いに対向する側となる内面３Ｒｎ，３Ｌｎから露出する操作部４２Ｒ，４２Ｌを有している。スライド部４Ｒ，４Ｌは、操作部４２Ｒ，４２Ｌが上下方向に押圧されることで、前述した第１方向にスライド可能に構成されている。
【００２４】
スライド部４は、テンプル３Ｒ，３Ｌが回転して突起部４１Ｒ，４１Ｌが枠部２２の当接面２２１Ｒ，２２１Ｌに当接したときに、テンプル３Ｒ，３Ｌの回転を規制する。そして、突起部４１Ｒ，４１Ｌは、スライド部４がスライドされることによって、第１方向に対して傾斜している当接面２２１Ｒ，２２１Ｌに当接する箇所が変わり、テンプル３Ｒ，３Ｌは、枠部２２に対して広げられる角度が変わる。すなわち、画像観察用眼鏡１は、スライド部４がスライドされることによって、テンプル３Ｒ，３Ｌの広げられる角度が変わり、テンプル３Ｒ，３Ｌ間の距離（以下、「テンプル間距離」という）が調整される。
【００２５】
ここで、スライド部４近傍の画像観察用眼鏡１の構造について、詳細に説明する。前述したように、スライド部４Ｒ，４Ｌは、左右対称に形成されている。ここでは、スライド部４Ｒに注目して説明する。
【００２６】
図２は、スライド部４Ｒ近傍の画像観察用眼鏡１を模式的に示す部分断面図であり、（ａ）は、スライド部４Ｒが最も下方に位置する状態を上方から見た図、（ｂ）は、スライド部４Ｒが最も上方に位置する状態を上方から見た図である。
図３は、スライド部４Ｒ近傍の画像観察用眼鏡１を模式的に示す部分断面図であり、スライド部４Ｒが略中央部に位置する状態を左方（−Ｘ方向）から見た図である。
【００２７】
枠部２２の端部２２Ｒは、図２に示すように、−Ｘ側の角部に凹部２２２が形成され、この凹部２２２の上下の内面には、支持ピンＰの両端が挿入される穴（図示省略）が形成されている。
前述した当接面２２１Ｒは、この凹部２２２の＋Ｘ側に形成されている。
当接面２２１Ｒは、図３に示すように、第１方向に対して傾斜し、上方に向かう程、端部３１Ｒから遠ざかるように傾斜している。つまり、当接面２２１Ｒは、スライド部４Ｒが配置される端部３１Ｒに対し、画像観察用眼鏡１の装着者の頭上側となる側がその反対側より遠ざかるように傾斜している。
【００２８】
テンプル３Ｒの端部３１Ｒには、図２に示すように、凸部３１１および収納部３１２が設けられている。詳細な説明は省略するが、端部３１Ｒは、複数の部材で形成され、この複数の部材が組み合わされることで、収納部３１２が形成される。
【００２９】
凸部３１１は、−Ｘ側の角部に設けられており、枠部２２の凹部２２２に挿入可能に突出している。凸部３１１の中央部には、上下方向に貫通し、支持ピンＰが挿通される孔が形成されている。テンプル３Ｒは、この凸部３１１の孔に支持ピンＰが挿通され、凸部３１１から突出する支持ピンＰの両端が凹部２２２の穴に挿入されて端部２２Ｒに軸支される。そして、テンプル３Ｒは、支持ピンＰの中心軸Ｐｊを中心として回転可能となり、枠部２２に対して折り畳み可能となっている。
【００３０】
収納部３１２は、スライド部４Ｒを収納し、スライド部４Ｒが摩擦力を有して第１方向にスライド可能となるように形成されている。
収納部３１２は、図２に示すように、端部３１Ｒの＋Ｙ側の端面に設けられた開口部３１３から内面３Ｒｎに設けられた開口部３１４に繋がる断面視Ｌ字状に形成されている。
【００３１】
また、内面３Ｒｎには、図３に示すように、第１方向に沿って下方から上方に向かって順次形成された凹曲面状の窪み部３１２ａ，３１２ｂ，３１２ｃが設けられている。
窪み部３１２ａ，３１２ｂ，３１２ｃは、開口部３１４の−Ｙ側端部の近傍に形成されている。さらに、内面３Ｒｎには、この窪み部３１２ａ，３１２ｂ，３１２ｃに対応して目視可能なマーク「Ｎ」（Ｎａｒｒｏｗの頭文字）、「Ｃ」（Ｃｅｎｔｅｒの頭文字）、「Ｗ」（Ｗｉｄｅの頭文字）が標記されている。
【００３２】
スライド部４Ｒは、前述したように、収納部３１２に収納され、第１方向にスライド可能となるように形成されている。つまり、スライド部４Ｒは、テンプル３の回転方向に沿う仮想平面と交差する第１方向にスライド可能に構成されている。
【００３３】
スライド部４Ｒは、図２に示すように、突起部４１Ｒおよび操作部４２Ｒに加え、本体部４３を備えている。
本体部４３は、図２に示すように、上方から見て断面視Ｌ字状に形成され、収納部３１２内に収納される。
突起部４１Ｒは、本体部４３の＋Ｙ側の端部側に設けられ、開口部３１３から突出し、先端が半球状となるように形成されている。
【００３４】
操作部４２Ｒは、本体部４３の−Ｘ側の端部に設けられており、図２に示すように、内面３Ｒｎより突出し、開口部３１４の＋Ｙ側および−Ｙ側の縁部に重なるように形成されている。操作部４２Ｒは、図３に示すように、平面視矩形状に形成され、開口部３１４の−Ｙ側の縁部に重なる部位には、窪み部３１２ａ，３１２ｂ，３１２ｃに係合可能な突起部（係合部４２２）が形成されている。
【００３５】
また、操作部４２Ｒには、図３に示すように、−Ｙ側の端面中央部に、−Ｙ方向に突出し、先端が鋭角の標記指示部４２１が形成されている。標記指示部４２１は、スライド部４Ｒがスライドされることにより係合部４２２が、窪み部３１２ａ，３１２ｂ，３１２ｃのいずれかに係合された際に、その係合された箇所に対応してマーク「Ｎ」、「Ｃ」、「Ｗ」のいずれかを指し示すように形成されている。
【００３６】
スライド部４Ｒは、複数の部材で構成された端部３１Ｒの一方の部材に配置された後、端部３１Ｒの他方の部材が組み込まれることで、収納部３１２に収納される。また、スライド部４Ｒは、左右方向（±Ｘ方向）および前後方向（±Ｙ方向）にガタがなく収納部３１２に収納される。
【００３７】
ここで、テンプル間距離の調整方法について説明する。
画像観察用眼鏡１は、テンプル３Ｒ，３Ｌの後端が広げられ、テンプル３Ｒ，３Ｌの回転が規制されて使用者に装着される。具体的に、画像観察用眼鏡１は、テンプル３Ｒ，３Ｌが支持ピンＰを中心に回転され、突起部４１Ｒ，４１Ｌが当接面２２１Ｒ，２２１Ｌに当接して回転が規制された状態（以下、オープン状態という）で使用者に装着される。そして、画像観察用眼鏡１は、スライド部４がスライドされると、突起部４１Ｒ，４１Ｌが当接面２２１Ｒ，２２１Ｌの異なる位置に当接することによって、テンプル３Ｒ，３Ｌ間の距離が調整される。
【００３８】
具体的に、テンプル間距離の調整方法を、スライド部４Ｒに注目して説明する。
図４は、スライド部４Ｒ近傍の画像観察用眼鏡１を模式的に示す部分断面図であり、（ａ）は、スライド部４Ｒが最も下方に位置する状態を−Ｘ方向から見た図、（ｂ）は、スライド部４Ｒが最も上方に位置する状態を−Ｘ方向から見た図である。
【００３９】
図４（ａ）に示すように、突起部４１Ｒは、スライド部４が最も下方に位置する状態で、当接面２２１Ｒの下側に当接し、テンプル３Ｒは、開口部３１３の周縁部が端部２２Ｒに対して距離Ｄ１を有して配置される。また、テンプル３Ｒは、スライド部４が最も下方に位置する状態で、図２（ａ）に示すように、内面３Ｒｎの反対側の外面３Ｒｇが端部２２Ｒの外面２２Ｒｇに倣う状態より内側に傾斜した状態となる。
【００４０】
図示は省略するが、テンプル３Ｌは、スライド部４Ｌが最も下方に位置する状態で、テンプル３Ｒと同様に、内側に傾斜した状態となる。そして、スライド部４Ｒ，４Ｌが最も下方に位置する状態で、テンプル３Ｒ，３Ｌは、図１に示すように、テンプル間距離が最も小さな距離Ｌｎを有する状態となる。以下、テンプル間距離が最も小さな状態を「幅狭状態」という。
【００４１】
また、幅狭状態においては、スライド部４Ｒは、図４（ａ）に示すように、係合部４２２が窪み部３１２ａに係合し、標記指示部４２１がマーク「Ｎ」を指し示す状態となる。
【００４２】
画像観察用眼鏡１は、幅狭状態から、スライド部４Ｒが上方に移動されると、テンプル３Ｒの回転角が次第に大きくなり、テンプル間距離も次第に広くなる。そして、スライド部４Ｒが最も上方に位置する状態では、図４（ｂ）に示すように、突起部４１Ｒは、当接面２２１Ｒの上側に当接し、テンプル３Ｒは、開口部３１３の周縁部が端部２２Ｒに対して距離Ｄ１より小さな距離Ｄ２を有して配置される。また、テンプル３Ｒは、図２（ｂ）に示すように、外面３Ｒｇが端部２２Ｒの外面２２Ｒｇに倣う状態となる。
【００４３】
図示は省略するが、テンプル３Ｌは、スライド部４Ｌが最も上方に位置する状態で、テンプル３Ｒと同様に、外面が端部２２Ｌの外面に略倣う状態となる。そして、スライド部４Ｒ，４Ｌが最も上方に位置する状態で、テンプル３Ｒ，３Ｌは、図１に示すように、テンプル間距離が最も大きな距離Ｌｗを有する状態となる。以下、テンプル間距離が最も大きな状態を「幅広状態」という。
【００４４】
また、幅広状態においては、スライド部４Ｒは、図４（ｂ）に示すように、係合部４２２が窪み部３１２ｃに係合し、標記指示部４２１がマーク「Ｗ」を指し示す状態となる。
【００４５】
スライド部４は、最も下方に位置する状態から最も上方に位置する状態の間で連続的に移動可能に構成され、画像観察用眼鏡１は、幅狭状態と幅広状態との間で連続的にテンプル間距離が調整される。
【００４６】
テンプル３Ｒは、幅狭状態と幅広状態との間の中間状態となる位置において、図３に示すように、開口部３１３の周縁部が端部２２Ｒに対し、距離Ｄ１より小さく距離Ｄ２より大きな距離Ｄ３を有して配置される。そして、この中間状態において、テンプル間距離は、距離Ｌｎと距離Ｌｗとの中間の距離となり、図３に示すように、スライド部４Ｒは、係合部４２２が窪み部３１２ｂに係合し、標記指示部４２１がマーク「Ｃ」を指し示す状態となる。
【００４７】
このように、画像観察用眼鏡１は、スライド部４が上方にスライドされると、テンプル間距離が広がり、スライド部４が下方にスライドされると、テンプル間距離が狭くなるように調整される。そして、画像観察用眼鏡１は、係合部４２２が窪み部３１２ａ，３１２ｂ，３１２ｃのいずれかに係合されると、係合された箇所に対応して標記指示部４２１が「Ｎ」、「Ｃ」、「Ｗ」のいずれかを指し示す。
【００４８】
また、画像観察用眼鏡１は、テンプル３が回転されてオープン状態になる際や、使用者に装着されている際に、当接面２２１Ｒ，２２１Ｌには、支持ピンＰを支点として突起部４１Ｒ，４１Ｌからの作用力が加わる。つまり、スライド部４には、この作用力の反力が加わるが、スライド部４は、この反力を収納部３１２の内面で受け、また、この反力と異なる方向にスライドすることとなる。
【００４９】
以上説明したように、本実施形態の画像観察用眼鏡１によれば、以下の効果を得ることができる。
（１）使用者の頭部サイズに対応して一対のテンプル３間の距離を調整できるので、テンプル３の締め付けによる頭部の痛みや、画像観察用眼鏡１の位置ずれが抑制され、装着性の良好な画像観察用眼鏡１が可能となる。
【００５０】
（２）スライド部４をスライドさせるという簡単な操作で、テンプル間距離を調整することができるので、使用者は、自分の頭部に合わせて容易にテンプル間距離を調整することが可能となる。また、オープン状態においてもスライド部４Ｒ，４Ｌを移動させることができるので、テンプル３を閉じる方向に回転させた後、テンプル間距離を調整する構成に比べ、使用者は、煩わしさを感じることなくテンプル間距離を調整することが可能となる。
【００５１】
（３）スライド部４はテンプル３に配置され、当接面２２１Ｒ，２２１Ｌは枠部２２に形成されている。これによって、画像観察部２１を保持する枠部２２の構造の簡素化や、枠部２２の小型化によるデザイン性の向上、および枠部２２とテンプル３との重量バランスを良好にし、さらに装着性の良好な画像観察用眼鏡１が可能となる。
【００５２】
（４）画像観察用眼鏡１は、スライド部４が上方にスライドされると、テンプル間距離が広がり、スライド部４が下方にスライドされると、テンプル間距離が狭くなる。これによって、装着者は、テンプル３がきつい場合には、スライド部４を頭上側にスライドさせ、緩い場合には、スライド部４を頭上側とは反対側にスライドさせてテンプル間距離を調整できる。よって、装着者に一対のテンプル３の広げる方向と狭くする方向とを感覚的に把握させることが可能となり、使い勝手の良好な画像観察用眼鏡の提供が可能となる。
【００５３】
（５）テンプル３が回転されてオープン状態になる際や、使用者に装着されている際に、スライド部４には、当接面２２１Ｒ，２２１Ｌからの反力が加わるが、スライド部４は、この反力と異なる方向にスライドするように構成されている。これによって、使用者に装着されている際に、スライド部４がずれることが抑制される。よって、装着性の良好な状態を維持する画像観察用眼鏡１の提供が可能となる。
また、スライド部４をスライドさせる操作力が小さくなるように構成しても、使用者が画像観察用眼鏡１を装着した際にスライド部４がずれないようにすることが可能となるので、テンプル間距離を調整する操作性の向上が図れる。
【００５４】
（６）異なるサイズの枠部２２を複数用意すること無く、異なるサイズの頭部に対応できるので、画像観察用眼鏡１の製造コストの低減や、在庫管理の簡素化が図れる。
【００５５】
（７）画像観察用眼鏡１は、係合部４２２が窪み部３１２ａ，３１２ｂ，３１２ｃに係合可能に形成されているので、使用者は、幅狭状態、中間状態および幅広状態となるように、スライド部４を容易に移動させることができる。また、左右のテンプル３Ｒ，３Ｌをバランスよく調整できるので、テンプル間距離を調整した際にも、さらに良好な装着性が可能となる。
【００５６】
（８）画像観察用眼鏡１は、係合部４２２が窪み部３１２ａ，３１２ｂ，３１２ｃのいずれかに係合されることで、係合された箇所に対応して標記指示部４２１が「Ｎ」、「Ｃ」、「Ｗ」のいずれかを指し示すように構成されている。これによって、使用者は、幅狭状態、中間状態および幅広状態のいずれであるかを容易に認識することができる。
【００５７】
（９）内面３Ｒｎ，３Ｌｎから露出する操作部４２Ｒ，４２Ｌを操作することでスライド部４をスライドさせることができるので、外面側にスライド部４を構成するための形状を盛り込む必要が無く、画像観察用眼鏡１の外観デザインの向上が図れる。
【００５８】
なお、前記実施形態は、以下のように変更してもよい。
（変形例１）
前記実施形態の画像観察用眼鏡１は、スライド部４Ｒ，４Ｌがテンプル３Ｒ，３Ｌに配置され、当接面２２１Ｒ，２２１Ｌが枠部２２に形成されているが、スライド部を枠部２２に配置し、当接面をテンプル３に形成するように構成してもよい。
【００５９】
図５は、変形例の画像観察用眼鏡１０を模式的に示す部分断面図であり、枠部２２の端部２２Ｒに配置されたスライド部５近傍の図である。具体的に、図５は、幅広状態における画像観察用眼鏡１０の模式図であり、（ａ）は、上方から見た図、（ｂ）は、左方（−Ｘ方向）から見た図である。
【００６０】
端部２２Ｒには、図５（ａ）に示すように、上方から見て断面視Ｌ字状の収納部２２５
が形成され、端部２２Ｒの−Ｙ側の端面、および端部２２Ｒの内面２２Ｒｎには、開口部２２６，２２７が設けられている。
【００６１】
スライド部５は、収納部２２５に収納され、第１方向にスライド可能となるように形成されている。スライド部５は、前記実施形態のスライド部４Ｒと同様に、本体部５１、突起部５２および操作部５３を備え、突起部５２は、開口部２２６から突出し、操作部５３は、内面２２Ｒｎより突出し、開口部２２７の縁部に重なるように形成されている。
【００６２】
テンプル３Ｒの端部３１Ｒには、図５（ａ）に示すように、凸部３１１の＋Ｘ方向に突起部５２が当接する当接面３１５が形成されている。
当接面３１５は、第１方向に対して傾斜し、図５（ｂ）に示すように、上方に向かう程端部２２Ｒから遠ざかるように傾斜している。
【００６３】
詳細な説明は省略するが、画像観察用眼鏡１０は、前記実施形態の画像観察用眼鏡１と同様に、スライド部５が上方にスライドされると、テンプル間距離が広がり、スライド部５が下方にスライドされると、テンプル間距離が狭くなるように調整される。
【００６４】
（変形例２）
前記実施形態の画像観察用眼鏡１は、テンプル３の内面３Ｒｎに設けられた窪み部３１２ａ，３１２ｂ，３１２ｃに係合部４２２が係合可能に構成されているが、他の部位で係合するように構成してもよい。例えば、収納部３１２に窪み部を設け、スライド部４の本体部４３に係合部を設けてもよい。
【００６５】
（変形例３）
前記実施形態の突起部４１Ｒ，４１Ｌは、先端が半球状に形成されているが、他の形状、例えば、当接面２２１Ｒ，２２１Ｌに沿う形状等であってもよい。
【符号の説明】
【００６６】
１，１０…画像観察用眼鏡、２…本体部、３，３Ｌ，３Ｒ…テンプル、４，４Ｌ，４Ｒ，５…スライド部、３Ｒｎ，２２Ｒｎ…内面、２１，２１Ｌ，２１Ｒ…画像観察部、２２…枠部、２２Ｌ，２２Ｒ…端部、４１Ｌ，４１Ｒ，５２…突起部、４２Ｌ，４２Ｒ，５３…操作部、２２１Ｌ，２２１Ｒ，３１５…当接面、３１２ａ，３１２ｂ，３１２ｃ…窪み部、４２１…標記指示部、４２２…係合部。
【図１】
2012252184.tif 000003
【図２】
2012252184.tif 000004
【図３】
2012252184.tif 000005
【図４】
2012252184.tif 000006
【図５】
2012252184.tif 000007